(57)【要約】      （修正有）【課題】暗証記号忘れによる解錠不能といった不具合を防止するダイヤル錠を提供する。【解決手段】複数の数字若しくは文字が表記されたダイヤルリング５が複数設けられ、これらのダイヤルリングが、それぞれに表記された数字若しくは文字が所定の組み合わせとなるように位置合わせされた際に解錠されるようになされたダイヤル錠であって、前記各ダイヤルリングに、表記された前記数字若しくは文字と同一の印影を形成するための反転した押印手段６が前記各数字若しくは文字に対応して設けられている。【選択図】図２
0003181693.tif 000002
【実用新案登録請求の範囲】
【請求項１】
複数の数字若しくは文字が表記されたダイヤルリングが複数設けられ、これらのダイヤルリングが、それぞれに表記された数字若しくは文字が所定の組み合わせとなるように位置合わせされた際に解錠されるようになされたダイヤル錠であって、前記各ダイヤルリングに、表記された前記数字若しくは文字と同一の印影を有する押印手段が設けられていることを特徴とするダイヤル錠。
【請求項２】
前記押印手段が連続気孔質体によって形成され、この連続気孔質体の毛細管作用によりインクの供給がなされるように構成されていることを特徴とする請求項１に記載のダイヤル錠。
【考案の詳細な説明】
【技術分野】
【０００１】
本考案は、ロッカー等に用いられるダイヤル錠に関するものである。
【背景技術】
【０００２】
一般に、ロッカー等には、その使用者を制限するために施錠手段が設けられおり、この施錠手段の一例として、複数の数字若しくは文字が表記されたダイヤルリングが複数設けられ、これらのダイヤルリングが、それぞれに表記された数字若しくは文字が所定の組み合わせとなるように位置合わせされた際に解錠されるようになされたダイヤル錠が知られている（特許文献１参照）。
【先行技術文献】
【特許文献】
【０００３】
【特許文献１】実用新案登録第３１４３５３２号公報
【考案の概要】
【考案が解決しようとする課題】
【０００４】
このようなダイヤル錠にあっては、解錠するに当たって、前記複数のダイヤルリングを、それぞれに表記された数字若しくは文字が所定の組み合わせ（以下、暗証記号と称す）となるように位置合わせする必要がある。
【０００５】
しかしながら、使用者が前述した暗証記号を忘れて解錠できず、そのためにマスターキー等を管理する管理者に解錠を依頼し、あるいは、この管理者に前記暗証記号の確認や変更を依頼することが多々生じている。
【０００６】
このような不具合は、ダイヤル錠の使用が間もない頃や、長期にわたって使用してない場合等に顕著となる。
【０００７】
本考案は、前述した従来の技術において残されている問題点を解決することができるダイヤル錠を提供することを課題とする。
【課題を解決するための手段】
【０００８】
本考案の請求項１に記載のダイヤル錠は、複数の数字若しくは文字が表記されたダイヤルリングが複数設けられ、これらのダイヤルリングが、それぞれに表記された数字若しくは文字が所定の組み合わせとなるように位置合わせされた際に解錠されるようになされたダイヤル錠であって、前記各ダイヤルリングに、表記された前記数字若しくは文字と同一の印影を有する押印手段が設けられていることを特徴としている。
【０００９】
このような構成とすることにより、前記複数のダイヤルリングを、それぞれに表記された数字若しくは文字が所定の組み合わせとなるように位置合わせして解錠した状態において、前記複数のダイヤルリング全てを覆うように用紙を対峙させたのち、この用紙を前記各ダイヤルリングに設けられている押印手段に押し付けることにより、前述した解錠に必要な前記数字若しくは文字の所定の組み合わせ、すなわち暗証記号を写し取ることができる。
【００１０】
この操作を、前記ダイヤル錠の使用開始時に行ない、暗証記号を忘れてしまった際に、前記用紙によって再確認することができる。
【００１１】
そして、前記暗証記号を写し取る際に筆記具を用いる必要がなく、簡便な作業で記録を残すことができる。
【００１２】
本考案の請求項２に記載のダイヤル錠は、請求項１に記載の前記押印手段が連続気孔質体によって形成され、この連続気孔質体の毛細管作用によりインクの供給がなされるように構成されていることを特徴としている。
【００１３】
このような構成とすることにより、前記押印手段にインクが常時保持されるとともに、その供給量が適切に調整される。
これによって、前述した暗証記号の採取が簡便に行なえ、かつ、インク垂れによる汚染が防止される。
【考案の効果】
【００１４】
本考案によれば、解錠状態にあるダイヤルリングに用紙を押し当てるといった簡便な操作によって暗証記号を写し取ることができ、暗証記号忘れによる解錠不能といった不具合を確実に防止することができる。
【図面の簡単な説明】
【００１５】
【図１】本考案の一実施形態が適用されたロッカーの正面図である。
【図２】本考案の一実施形態を示す拡大正面図である。
【図３】本考案の一実施形態を示すもので、使用状態を示す側面図である。
【図４】本考案の一実施形態を示すもので、暗証記号を写し取った用紙を示す正面図である。
【考案を実施するための形態】
【００１６】
以下、本考案の一実施形態を図面を参照して説明する。
図１は、本実施形態が適用されたロッカー１の正面図で有り、このロッカー１の各扉２に設けられている把手３の近傍に、本実施形態に係わるダイヤル錠４が設けられている。
【００１７】
前記ダイヤル錠４は、複数の数字若しくは文字（本実施形態では数字を用いた例について示してあるが、その他の文字や記号等であってもよい）が表記されたダイヤルリング５が複数設けられ、これらの各ダイヤルリング５に、表記された前記数字と同一の印影を有する押印手段６が各数字に対応して設けられている。
【００１８】
前記各押印手段６は、たとえば、フェルト等の連続気孔質体によって形成され、その印影となる各数字は、それぞれ左右に反転しかつ上下に反転した数字として形成されている。
【００１９】
そして、前記各押印手段６には、図示しないインク保持部材が連設されており、このインク保持部材に含浸させられているインクが、前記押印手段６の毛細管作用により前記印影部へ供給されるようになっている。
【００２０】
前述した押印手段６へのインクの供給量は、この押印手段６を形成する連続気孔質体の連続気孔の面積を調整することによって調整可能であり、これによって、インク垂れ等を防止することができる。また、この構造によって、押印手段６を低コストで提供することができる。さらに、ダイヤルリング５内にインク保持部材を連接することで、長期間使用可能な量のインクを保持させることができる。
【００２１】
さらに、前記押印手段６の押印面は、図３に示すように、前記ダイヤルリング５の外周面よりも若干高く設定されている。
【００２２】
このように構成された本実施形態に係わるダイヤル錠４は、解錠した状態の、暗証記号が揃った状態において、前記各ダイヤルリング５の全てを覆うようにして用紙Ｐを対峙させた後、この用紙Ｐを、図３に示すように、前記押印手段６へ押し付けることによって、図４（ａ）（ｂ）に示すように、前記暗証記号を写し取ることができる。
【００２３】
したがって、利用者は、暗証記号が記された前記用紙Ｐを所持ないしは保管しておくことにより、万一、前記暗証記号を忘れた場合にあっても即座に対応することができる。
【００２４】
そして、前述した暗証記号の写し取りに際して、単に、用紙Ｐを押し付けるだけで行なうことができ、筆記具を必要とせず、簡便な作業で済む。
【符号の説明】
【００２５】
１  ロッカー
２  扉
３  把手
４  ダイヤル錠
５  ダイヤルリング
６  押印手段
Ｐ  用紙
【図１】
0003181693.tif 000003
【図２】
0003181693.tif 000004
【図３】
0003181693.tif 000005
【図４】
0003181693.tif 000006
【手続補正書】
【提出日】平成24年12月11日(2012.12.11)
【手続補正１】
【補正対象書類名】実用新案登録請求の範囲
【補正対象項目名】全文
【補正方法】変更
【補正の内容】
【実用新案登録請求の範囲】
【請求項１】
複数の数字若しくは文字が表記されたダイヤルリングが複数設けられ、これらのダイヤルリングが、それぞれに表記された数字若しくは文字が所定の組み合わせとなるように位置合わせされた際に解錠されるようになされたダイヤル錠であって、前記各ダイヤルリングに、表記された前記数字若しくは文字と同一の印影を形成するための反転した押印手段が前記各数字若しくは文字に対応して設けられていることを特徴とするダイヤル錠。
【請求項２】
前記押印手段が連続気孔質体によって形成され、この連続気孔質体の毛細管作用によりインクの供給がなされるように構成されていることを特徴とする請求項１に記載のダイヤル錠。
【手続補正２】
【補正対象書類名】明細書
【補正対象項目名】０００８
【補正方法】変更
【補正の内容】
【０００８】
本考案の請求項１に記載のダイヤル錠は、複数の数字若しくは文字が表記されたダイヤルリングが複数設けられ、これらのダイヤルリングが、それぞれに表記された数字若しくは文字が所定の組み合わせとなるように位置合わせされた際に解錠されるようになされたダイヤル錠であって、前記各ダイヤルリングに、表記された前記数字若しくは文字と同一の印影を形成するための反転した押印手段が前記各数字若しくは文字に対応して設けられていることを特徴としている。